(57)【要約】【解決手段】携行物を吊り下げる肩掛けベルト１において、帯体３を肩パッド２の両側で互いに離間する連結部４により取着し、肩パッド２は両連結部４を結ぶ帯体３の長手方向Ｘで伸縮し得る伸縮材により設けられ、一方の連結部４を含む片側領域部９と、他方の連結部４を含む片側領域部１０と、それらの片側領域部９，１０間の中間領域部１１とに肩パッド２を帯体３の長手方向Ｘで区分した場合、中間領域部１１の伸長率よりも片側領域部９，１０の伸長率を大きくした。肩パッド２は長手方向Ｘばかりでなくその長手方向Ｘに対し直交する全方向Ｙ，Ｚで伸縮し得る伸縮材により設けられている。肩パッド２は主体７の外周縁に取着された縁取部８を有し、その主体７と縁取部８とを共に前記伸縮材により設けた。【効果】各種携行物を肩に吊り下げて使用する際に肩に加わる負荷の変動を抑えて使用者の疲労を低減することができる。【選択図】図１
2008220575.tif 000002
【特許請求の範囲】
【請求項１】
携行物を吊り下げる肩掛けベルトにおいて、帯体を肩パッドの両側で互いに離間する両連結部により取着し、この肩パッドはこの両連結部を結ぶ帯体の長手方向で伸縮し得る伸縮材により設けられ、この両連結部のうち一方の連結部側の片側領域部と、この両連結部のうち他方の連結部側の片側領域部と、それらの片側領域部間の中間領域部とにこの肩パッドを帯体の長手方向で区分した場合、この肩パッドの中間領域部の伸長率よりもこの肩パッドの片側領域部の伸長率を大きくしたことを特徴とする肩掛けベルト。
【請求項２】
携行物を吊り下げる肩掛けベルトにおいて、帯体を肩パッドの両側で互いに離間する両連結部により取着し、この肩パッドはこの両連結部を結ぶ帯体の長手方向ばかりでなくその長手方向に対し直交する全方向で伸縮し得る伸縮材により設けられていることを特徴とする肩掛けベルト。
【請求項３】
前記肩パッドは主体の外周縁に取着された縁取部を有し、その主体と縁取部とを共に前記伸縮材により設けたことを特徴とする請求項２に記載の肩掛けベルト。
【発明の詳細な説明】
【技術分野】
【０００１】
本発明は、例えば、手持ち機器や手持ち工具やバッグやリュックやカメラケースやクーラーボックスやキャディバッグなどの携行物を肩に掛けて携行する際に使用する肩掛けベルトに係り、特に、刈払機やブロワーや噴霧器等の手持ち機器並びにハンマドリル等の手持ち工具などのように比較的重量がある携行物を上下方向や前後方向や左右方向に動かして使用する際に肩に吊り下げたり、動力源等から振動が伝わる携行物を肩に吊り下げたりする場合に適した肩掛けベルトに関するものである。
【背景技術】
【０００２】
図２（ａ）（ｂ）に示す従来の肩掛けベルト１の肩パッド２においては、発泡ウレタン素材を扁平な直方体に成形したものを塩化ビニール等の樹脂シートで包み込むとともに、帯体３が挿通された帯通し２ａが設けられている。なお、下記特許文献１にもこれと同種の肩掛けベルトが開示されている。
【特許文献１】特開２００４−４９６２１号公報
【発明の開示】
【発明が解決しようとする課題】
【０００３】
上記従来の肩パッド２は帯体３に対しその長手方向Ｘへ移動し得るため、作業時に肩パッド２が移動してずれたり肩から外れると、肩や首の付根が痛くなったり、携行物の振動が直接肩に伝わり、疲労が増大した。また、ずれた肩パッド２を気にするあまり、ストレスが溜まり、さらに疲労が増大した。例えば、携行物が刈払機である場合、作業時には刈払機を多方向に振って使用するとともに、動力源からの振動が肩に伝わり、肩には多方向の負荷が掛かる。
【０００４】
この発明は、各種携行物を肩に吊り下げて使用する際に肩に加わる負荷の変動を抑えて使用者の疲労を低減することができる肩掛けベルトを提供することを目的としている。
【課題を解決するための手段】
【０００５】
後記実施形態の図面（図１（ａ）（ｂ）（ｃ）（ｄ）に示す第１実施形態、図１（ｅ）に示す第２実施形態、図１（ｆ）または図１（ｇ）に示す第３実施形態）の符号を援用して本発明を説明する。
【０００６】
請求項１の発明にかかる肩掛けベルトは、携行物を吊り下げるためのものであって、第２〜３実施形態に対応し、下記のように構成されている。
この肩掛けベルト１においては、帯体３を肩パッド２の両側で互いに離間する両連結部４により取着している。この肩パッド２はこの両連結部４を結ぶ帯体３の長手方向Ｘで伸縮し得る伸縮材により設けられている。この両連結部４のうち一方の連結部４側の片側領域部９と、この両連結部４のうち他方の連結部４側の片側領域部１０と、それらの片側領域部９，１０間の中間領域部１１とにこの肩パッド２を帯体３の長手方向Ｘで区分した場合、この肩パッド２の中間領域部１１の伸長率よりもこの肩パッド２の片側領域部９，１０の伸長率を大きくしている。請求項１の発明では、肩パッド２が長手方向Ｘへ伸縮するため、携帯物により生じる長手方向Ｘへの荷重や衝撃を分散して吸収することができるとともに、肩に当接している中間領域部１１よりも片側領域部９，１０が伸縮するため、その中間領域部１１の形状変化を長手方向Ｘで抑制して肩や首の付根に対する肩パッド２の食い込みを防止することができる。なお、帯体３については、携行物を肩に掛けて携行する際の安定上、非伸縮性（帯体３を非伸縮材によりまたは極僅かにしか伸縮しない材質により設けた場合の状態）であることが好ましい。
【０００７】
請求項２の発明にかかる肩掛けベルトは、携行物を吊り下げるためのものであって、第１〜３実施形態に対応し、下記のように構成されている。
この肩掛けベルト１においては、帯体３を肩パッド２の両側で互いに離間する両連結部４により取着している。この肩パッド２はこの両連結部４を結ぶ帯体３の長手方向Ｘばかりでなくその長手方向Ｘに対し直交する全方向Ｙ，Ｚで伸縮し得る伸縮材により設けられている。請求項２の発明では、肩パッド２が多方向Ｘ，Ｙ，Ｚへ伸縮するため、携帯物により生じる多方向Ｘ，Ｙ，Ｚへの荷重や衝撃を分散して吸収することができる。なお、帯体３については、携行物を肩に掛けて携行する際の安定上、非伸縮性（帯体３を非伸縮材によりまたは極僅かにしか伸縮しない材質により設けた場合の状態）であることが好ましい。
【０００８】
請求項２の発明を前提とする請求項３の発明（第１〜３実施形態に対応）において、前記肩パッド２は主体７の外周縁に取着された縁取部８を有し、その主体７と縁取部８とを共に前記伸縮材により設けている。請求項３の発明では、肩パッド２を縁取部８により補強するばかりでなく、肩パッド２の全体の伸縮性を維持することができる。
【発明の効果】
【０００９】
本発明は、肩掛けベルト１において各種携行物を肩に吊り下げて使用する際に肩に加わる負荷の変動を抑えて使用者の疲労を低減することができる。
【発明を実施するための最良の形態】
【００１０】
まず、本発明の第１実施形態にかかる肩掛けベルトについて図１（ａ）（ｂ）（ｃ）（ｄ）を参照して説明する。
各種携行物を吊り下げる肩掛けベルト１においては、肩パッド２の両側で両帯体３の端部３ａが互いに離間する両連結部４により取着され、この両帯体３が長さ調節金具５により互いに連結されているとともに、各種携行物を保持するための吊下フック６がこの帯体３に１個以上取り付けられている。この連結部４で肩パッド２と帯体３の端部３ａとは、接着や溶着によりまたは縫製によりまたはそれらの組み合わせることにより、互いに取着されている。この両連結部４を結ぶ帯体３の長手方向Ｘに対し直交する幅方向Ｙで、肩パッド２の幅寸法Ｗ２が両帯体３の端部３ａの幅寸法Ｗ３よりも大きくなっている。この肩パッド２は、長手方向Ｘ及び幅方向Ｙに対し直交する厚さ方向Ｚで厚み寸法Ｔ２が同一の薄い板状をなす主体７と、その主体７の外周縁全体に縫製等により取着された縁取部８とを備えている。この肩パッド２の主体７と縁取部８とは、共に、長手方向Ｘばかりでなく、その長手方向Ｘに対し直交する全方向（幅方向Ｙや厚さ方向Ｚ等）で伸縮し得る伸縮材により設けられ、クッション性を有している。この伸縮材としては、例えば、天然繊維や合成繊維等を用いて伸縮可能に織込んだ布地（ゴム繊布やジャージ生地等）、または、発泡ウレタンや合成ゴムや天然ゴムや合成樹脂等を用いて成形したもの、または、それらを組み合わせたものを採用する。一方、前記帯体３は、非伸縮材により、または、極僅かにしか伸縮しない材質により設けられている。この非伸縮材としては、例えば、天然繊維や合成繊維等を用いて非伸縮性を有するように織込んだ布地（綿繊布やＰＰ系繊維テープ等）、または、金属や合成樹脂等を用いて成形したもの、または、それらを組み合わせたものを採用する。
【００１１】
次に、本発明の第２実施形態にかかる肩掛けベルトについて第１実施形態との相違点を中心に図１（ｅ）を参照して説明する。
肩パッド２は、両連結部４のうち一方の連結部４を含む片側領域部９と、両連結部４のうち他方の連結部４を含む片側領域部１０と、それらの片側領域部９，１０間の中間領域部１１とに長手方向Ｘで区分されている。この中間領域部１１と片側領域部９，１０とは、それぞれ、主体７と、それらの主体７の外周縁全体及び各主体７間の境界縁に取着された縁取部８とを備えている。この肩パッド２の主体７と縁取部８とは、共に、長手方向Ｘばかりでなく、その長手方向Ｘに対し直交する全方向（幅方向Ｙや厚さ方向Ｚ等）で伸縮し得る伸縮材により設けられ、クッション性を有している。この肩パッド２において、中間領域部１１の伸長率よりも片側領域部９，１０の伸長率が大きくなっている。片側領域部９の伸長率と片側領域部１０の伸長率とは、互いに同一になっているが、一方の伸長率が他方の伸長率よりも大きくしてもよい。その際、中間領域部１１の主体７の伸長率よりも片側領域部９，１０の主体７の伸長率を大きくするとともに、中間領域部１１の縁取部８の伸長率よりも片側領域部９，１０の縁取部８の伸長率を大きくするが、中間領域部１１の縁取部８の伸長率と片側領域部９，１０の縁取部８の伸長率とを互いに同一にしてもよく、肩パッド２の全体として中間領域部１１と片側領域部９，１０との間で伸長率に差が生じればよい。この中間領域部１１（主体７及び縁取部８）とこの片側領域部９，１０（主体７及び縁取部８）との間で、それらの材質を互いに変更したり、それらの編目や織目を変えて密度（組成内の空隙容積）を互いに変更したりして、それらの伸縮率に差を持たせることができる。
【００１２】
次に、本発明の第３実施形態にかかる肩掛けベルトについて第１実施形態との相違点を中心に図１（ｆ）または図１（ｇ）を参照して説明する。
肩パッド２は、両連結部４のうち一方の連結部４を含む片側領域部９と、両連結部４のうち他方の連結部４を含む片側領域部１０と、それらの片側領域部９，１０間の中間領域部１１とに長手方向Ｘで区分されている。この肩パッド２の主体７と縁取部８とは、共に、長手方向Ｘばかりでなく、その長手方向Ｘに対し直交する全方向（幅方向Ｙや厚さ方向Ｚ等）で伸縮し得る伸縮材により設けられ、クッション性を有している。図１（ｆ）に示すように、この肩パッド２において、中間領域部１１の幅寸法Ｗ１１よりも片側領域部９，１０の幅寸法Ｗ９，Ｗ１０を小さくしてそれらの外形状を互いに変更しているので、中間領域部１１の伸長率よりも片側領域部９，１０の伸長率が大きくなっている。片側領域部９の幅寸法Ｗ９と片側領域部１０の幅寸法Ｗ１０とは、互いに同一になっているが、一方の幅寸法が他方の幅寸法よりも大きくしてもよい。また、図１（ｇ）に示すように、この肩パッド２において、中間領域部１１の厚み寸法Ｔ１１よりも片側領域部９，１０の厚み寸法Ｔ９，Ｔ１０を小さくしてそれらの外形状を互いに変更しているので、中間領域部１１の伸長率よりも片側領域部９，１０の伸長率が大きくなっている。片側領域部９の厚み寸法Ｔ９と片側領域部１０の厚み寸法Ｔ１０とは、互いに同一になっているが、一方の厚み寸法が他方の厚み寸法よりも大きくしてもよい。その際、中間領域部１１の主体７の伸長率よりも片側領域部９，１０の主体７の伸長率を大きくするとともに、中間領域部１１の縁取部８の伸長率よりも片側領域部９，１０の縁取部８の伸長率を大きくするが、中間領域部１１の縁取部８の伸長率と片側領域部９，１０の縁取部８の伸長率とを互いに同一にしてもよく、肩パッド２の全体として中間領域部１１と片側領域部９，１０との間で伸長率に差が生じればよい。図示しないが、図１（ｆ）に示す構成と図１（ｇ）に示す構成とを互いに組み合わせてもよい。
【００１３】
第２〜３実施形態のように、肩パッド２を一方の片側領域部９と他方の片側領域部１０とそれらの片側領域部９，１０間の中間領域部１１とで長手方向Ｘへ三区分する以外に、肩パッド２を長手方向Ｘへ三区分以上してもよく、その場合には中央側領域部から長手方向Ｘへ離れる両側領域部ほど伸長率を大きくする。
【００１４】
本実施形態は下記の効果を有する。
＊  第１〜３実施形態の肩掛けベルト１では、肩パッド２が帯体３の長手方向Ｘばかりでなくその長手方向Ｘに対し直交する全方向（幅方向Ｙや厚さ方向Ｚ等）で伸縮し得る伸縮材により設けられているので、肩パッド２が肩の凹凸に倣うよう変形して肩に対する肩パッド２の密着度が増すとともに、携帯物により生じる多方向への荷重や衝撃を分散して吸収することができる。例えば、刈払機や噴霧器等の動力源からの振動をも吸収することができる。
【００１５】
＊  第２〜３実施形態の肩掛けベルト１の肩パッド２では、過度の荷重が加わっても、肩に当接している中間領域部１１よりも帯体３側の片側領域部９，１０が伸び縮みするため、肩に当接している中間領域部１１の形状変化を長手方向Ｘや幅方向Ｙ等で抑制し、携帯物により生じる多方向への荷重や衝撃を分散して吸収することができるとともに、肩や首の付根に対する肩パッド２の食い込みまでも防止することができる。
【００１６】
＊  第１〜３実施形態の肩掛けベルト１の肩パッド２では、伸縮性を有する主体７を縁取部８により補強することができるばかりでなく、この縁取部８にも伸縮性を持たせているため、肩パッド２の全体の伸縮性を維持することができる。
【００１７】
＊  第１〜３実施形態の肩掛けベルト１では、比較的幅寸法の広い肩パッド２を有し、この肩パッド２の長手方向Ｘの両側に帯体３を取着しているので、肩に対する肩パッド２の当接面積が大きくなって肩の一部に過度の負荷が加わることを防止するとともに、携行物を多方向へ動かしても肩パッド２がずれたり肩から外れたりすることを防止する。
【００１８】
次に、請求項以外の技術的思想について実施形態の図面の符号を援用して説明する。
請求項１の発明を前提とする第４の発明（第２実施形態に対応）において、前記肩パッド２の中間領域部１１と前記肩パッド２の片側領域部９，１０との間でそれらの材質または密度を互いに変更して、この中間領域部１１の伸長率よりもこの片側領域部９，１０の伸長率を大きくした。第４の発明では、肩パッド２において材質または密度を変更するだけで伸長率差を持たせることができる。
【００１９】
第４の発明を前提とする第５の発明（第２実施形態に対応）において、前記肩パッド２の中間領域部１１と前記肩パッド２の片側領域部９，１０とは、それぞれ、主体７の外周縁に取着された縁取部８と、この中間領域部１１と片側領域部９，１０との境界縁に取着された縁取部８とを有し、その主体７と両縁取部８とを共に前記伸縮材により設けた。第５の発明では、肩パッド２の全体の伸縮性を維持することができる。
【００２０】
請求項１の発明を前提とする第６の発明（第３実施形態に対応）において、前記肩パッド２の中間領域部１１と前記肩パッド２の片側領域部９，１０との間でそれらの外形状を互いに変更して、この中間領域部１１の伸長率よりもこの片側領域部９，１０の伸長率を大きくした。第６の発明では、肩パッド２の外形状を変更するだけの簡単な構造で伸長率差を持たせることができる。
【００２１】
第６の発明を前提とする第７の発明（第３実施形態に対応）において、前記肩パッド２の中間領域部１１と前記肩パッド２の片側領域部９，１０とは、それぞれ、主体７の外周縁に取着された縁取部８を有し、その主体７と縁取部８とを共に前記伸縮材により設けた。第７の発明では、肩パッド２の全体の伸縮性を維持することができる。
【００２２】
請求項１の発明または第４の発明または第５の発明または第６の発明または第７の発明を前提とする第８の発明において、前記肩パッド２は両連結部４を結ぶ帯体３の長手方向Ｘばかりでなくその長手方向Ｘに対し直交する全方向Ｙ，Ｚで伸縮し得る伸縮材により設けられている。第８の発明では、携帯物によりら生じる多方向Ｘ，Ｙ，Ｚへの荷重や衝撃を分散して吸収することができる。
【図面の簡単な説明】
【００２３】
【図１】（ａ）は第１実施形態にかかる肩掛けベルトの使用状態を示す斜視図であり、（ｂ）はその肩掛けベルトを示す斜視図であり、（ｃ）はその肩掛けベルトの肩パッドを示す部分平面図であり、（ｄ）は同じく部分正面図であり、（ｅ）は第２実施形態にかかる肩掛けベルトの肩パッドを示す部分平面図であり、（ｆ）は第３実施形態にかかる肩掛けベルトの肩パッドを示す部分平面図であり、（ｇ）は第３実施形態にかかる肩掛けベルトの肩パッドを示す部分正面図である。
【図２】（ａ）は従来の肩掛けベルトを示す斜視図であり、（ｂ）は同じくその肩掛けベルトの肩パッドを示す部分平面図である。
【符号の説明】
【００２４】
１…肩掛けベルト、２…肩パッド、３…帯体、４…連結部、７…主体、８…縁取部、９，１０…片側領域部、１１…中間領域部、Ｘ…長手方向、Ｙ…幅方向、Ｚ…厚さ方向。
【図１】
2008220575.tif 000003
【図２】
2008220575.tif 000004